(57)【特許請求の範囲】
【請求項１】
本容器（Ａ）に詰め替える内容物が収容される容器本体（２）と、該容器本体（２）から容器軸（Ｏ）方向に沿った該容器本体（２）の外側に向けて延在すると共に該本容器（Ａ）の注入口（Ａ１）内に差し込み可能とされ且つ先端部に注出口（３ａ）が形成された注出筒（３）と、該注出口（３ａ）を閉塞すると共に該注出口（３ａ）の開口周縁部に破断可能な弱化部（３０）を介して連結された閉塞板（４）と、前記本容器（Ａ）の前記注入口部（Ａ１）の開口端縁に係止可能なフック部（２１）と、前記閉塞板（４）から前記注出筒（３）の径方向外側に略Ｕ字形状に配置されて前記フック部（２１）に連結される操作突片（５）と、注出筒（３）の上端部の少なくとも一部を注出口（３ａ）よりも上方に延出させた延長突部（４３）と、を備える詰め替え容器であって、
前記閉塞板（４）を含む注出筒（３）の上端面（３Ａ）を、注出筒（３）の内方に向かって徐々に陥没する湾曲面で形成したことを特徴とする詰め替え容器。
【請求項２】
注出筒（３）の上端部の延長突部（４３）とは反対側の位置に、操作突片（５）の下面に向かって突出する支点突起（５１）を起立設すると共に、該支点突起（５１）の先端部の断面形状をＲ形状とした請求項１記載の詰め替え容器。
【請求項３】
操作突片（５）の下面に、支点突起（５１）に係合する突片リブ（５ａ）を湾曲状に付設した請求項２記載の詰め替え容器。
【請求項４】
操作突片（５）の一端部である連結部（６）を、閉塞板（４）上の延長突部（４３）に最も近づく側に位置する弱化部（３０）近傍に形成した請求項１乃至３のいずれか一項に記載の詰め替え容器。
【請求項５】
閉塞板（４）を、注出口（３ａ）の開口周縁部に接続される底辺（４ａ）と、該底辺（４ａ）の両端から前記底辺（４ａ）に対して略垂直に延びる一対の側辺（４ｂ）と、該一対の側辺（４ｂ）から互いに接近する方向に斜めに延びる一対の傾斜辺（４ｃ）とを有し、該一対の傾斜辺（４ｃ）が互いに交わる点を頂点（４ｄ）とする略ホームベース状に形成すると共に、弱化部（３０）を、前記底辺（４ａ）を除く各辺（４ｂ，４ｃ）に沿って形成し、且つ前記側辺（４ｂ）と前記傾斜辺（４ｃ）との接続部分（４ｅ）を湾曲状の弱化部（３０ａ）で形成した請求項１乃至４のいずれか一項に記載の詰め替え容器。
【請求項６】
閉塞板（４）と操作突片（５）との連結部（６）を、前記閉塞板（４）の頂点（４ｄ）近傍に設けた請求項５記載の詰め替え容器。
【発明の詳細な説明】
【技術分野】
【０００１】
本発明は、詰め替え容器に関するものである。
【背景技術】
【０００２】
この種の詰め替え容器として、従来、例えば下記特許文献１に記載されているような、本容器に詰め替える内容物が収容される容器本体と、容器本体の口部に装着され、該口部を閉塞する中栓と、を備え、中栓を本容器の口部に螺着させた状態で詰め替えを行う詰め替え容器が知られている。この中栓には、内容物を注出するための注出口が形成されていると共に、該注出口を閉塞するシール部が設けられている。シール部は、例えば、プルトップが付設された蓋体からなる。
【０００３】
上記した詰め替え容器では、まずプルトップを引き上げて中栓の注出口を開封する。続いて、詰め替え容器を正立姿勢（口部が上向きの姿勢）に配置し、該詰め替え容器の中栓に、倒立姿勢（口部が下向きの姿勢）とされた本容器の口部を螺着する。そしてこの状態から、詰め替え容器と本容器とを上下反転させて、本容器を正立姿勢にすると共に詰め替え容器を倒立姿勢にする。これにより、詰め替え容器内の内容物が、詰め替え容器及び本容器の各口部の内側を流通して本容器内に詰め替えられる。
【先行技術文献】
【特許文献】
【０００４】
【特許文献１】特開２０００−１５９２４９号公報
【発明の概要】
【発明が解決しようとする課題】
【０００５】
しかしながら、上記した従来の詰め替え容器では、中栓の注出口を開封した後、中栓に本容器の口部を螺着し、その後、詰め替え容器と本容器とを上下反転させる必要があるので、詰め替え作業が煩雑となっていた。
また、中栓の注出口を開封した後に、該中栓に対して本容器の口部を螺着するため、その螺合作業中に誤って詰め替え容器を倒すと、詰め替え容器内の内容物がこぼれ出るおそれがあった。
さらに、中栓に本容器の口部を螺着する際には、該本容器を倒立姿勢にするため、本容器内に内容物が残留していると、該内容物がこぼれるおそれがある。従って、本容器内の内容物を使い切った後でないと、詰め替え作業を行い難かった。
【０００６】
他方、上記従来例とは別に、詰め替え容器に設けた注出筒を本容器の注入口に差し込んで内容物の詰め替え作業を行う詰め替え容器があり、このような詰め替え容器では、注出筒の先端に注出口を塞ぐ閉塞板を破断可能な弱化部を介して連結しておき、使用時に弱化部を破断して閉塞板を抜栓するのであるが、最初に大きな破断力を必要とする傾向があり、閉塞板の抜栓を容易に行うことが困難であるという問題があった。
また子供や高齢者等の力の弱いものであっても容易に開封できるように、閉塞板の抜栓がスムーズに行われることが望まれていた。
【０００７】
本発明は、このような事情に鑑みてなされたもので、その目的は、詰め替え作業を簡便にし、詰め替え作業時に内容物をこぼし難く、本容器内の内容物が残留している場合であっても詰め替え作業を可能にし、かつ注出筒の先端の注出口を塞ぐ閉塞板の抜栓を容易化して詰め替え作業をスムーズに行えるようにした詰め替え容器を提供することにある。
【課題を解決するための手段】
【０００８】
上記課題の解決手段として、本発明の主たる構成は、
本容器に詰め替える内容物が収容される容器本体と、容器本体から容器軸方向に沿った容器本体の外側に向けて延在すると共に本容器の注入口内に差し込み可能とされ且つ先端部に注出口が形成された注出筒と、注出口を閉塞すると共に注出口の開口周縁部に破断可能な弱化部を介して連結された閉塞板と、本容器の注入口部の開口端縁に係止可能なフック部と、閉塞板から注出筒の径方向外側に略Ｕ字形状に配置されてフック部に連結される操作突片と、注出筒の上端部の少なくとも一部を注出口よりも上方に延出させた延長突部と、を備える詰め替え容器であって、閉塞板を含む注出筒の上端面を、注出筒の内方に向かって徐々に陥没する湾曲面で形成したことを特徴とする、と云うものである。
【０００９】
本発明の主たる構成では、本容器側の注入口部に、本容器側の注出筒を対向させた状態で、フック部を注入口部の開口端縁に係止させた後、容器本体と本容器とを容器軸方向に沿って相対的に接近移動させることにより、注出筒を注入口部内に差し込みつつ操作突片で閉塞板を引っ張り、弱化部を破断させて注出口を開封することができる。その結果、注出口を通じて容器本体内の内容物を本容器内へ注出することができ、詰め替え容器から本容器内へ内容物の詰め替えを行うことができる。
【００１０】
特に、注入口部にフック部を係止させて、詰め替え容器と本容器とを容器軸方向に沿って相対的に接近移動させるという簡便な作業によって、内容物の詰め替え作業を容易に行うことができる。
また、容器本体と本容器とを容器軸方向に沿って相対的に接近移動させるまで、注出口は閉塞板によって閉塞されているので、詰め替え前の段階で容器本体内の内容物がこぼれることもない。
さらに、本容器を倒立姿勢にすることなく、未開封の詰め替え容器を倒立姿勢にして詰め替え作業を行うので、例えば本容器内の内容物が残留している場合であっても、この内容物をこぼすことなく詰め替え作業を行うことができる。
また、閉塞板を含む注出口の上端部を、周縁部から中央部に向かって徐々に陥没する湾曲面で形成することにより、閉塞板を容易に抜栓することができる。
【００１１】
また本発明の他の構成は、本発明の主たる構成に、注出筒の上端部の延長突部とは反対側の位置に、操作突片の下面に向かって突出する支点突起を起立設すると共に、支点突起の先端部の断面形状をＲ形状とした、との構成を加えたものである。
【００１２】
上記構成では、操作突片と支点突起の先端との係合を円滑にすることができるため、閉塞板を軽い力でスムーズに引っ張ることが可能となり、弱化部を確実に破断することができる。
【００１３】
また本発明の他の構成は、上記の構成に、操作突片の下面に、支点突起に係合する突片リブを湾曲状に付設した、との構成を加えたものである。
【００１４】
上記構成では、突片リブが支点突起の先端に係合することになり、操作突片が係合する場合に比較してより少ない移動で迅速に閉塞板を抜栓することができる。また支点突起は湾曲状の補助リブの下面を摺動することになるため、よりスムーズに引っ張ることができる。
【００１５】
また本発明の他の構成は、上記の構成に、操作突片の一端部である連結部を、閉塞板上の延長突部に最も近づく側に位置する弱化部近傍に形成した、との構成を加えたものである。
【００１６】
弱化部の破断は、延長突部寄りの位置から支点突起寄りの位置に向かって進行するころ、上記構成によれば、閉塞板を簡単且つ確実に捲り上げることが可能となり、弱化部の破断をよりスムーズに行うことができる。
【００１７】
また本発明の他の構成は、上記いずれかの構成に、閉塞板を、注出口の開口縁部に接続される底辺と、この底辺の両端から底辺に対して略垂直に延びる一対の側辺と、この一対の側辺から互いに接近する方向に斜めに延びる一対の傾斜辺とを有し、この一対の傾斜辺が互いに交わる点を頂点とする略ホームベース状に形成すると共に、弱化部を、底辺を除く各辺に沿って形成し、且つ側辺と傾斜辺との接続部分を湾曲状の弱化部で形成した、との構成を加えたものである。
【００１８】
例えば、閉塞板が略ホームベース状である場合に、傾斜辺から側辺に至る際には破断力が作用する方向が急激に変わるため破断作業が途切れ易くなるが、上記構成のように側辺と傾斜辺との接続部分を湾曲状の弱化部で連結することにより、破断力の方向が緩やかに切り替わるようになり、一度の作業でスムーズに破断することができる。
【００１９】
また本発明の他の構成は、上記構成に、閉塞板と操作突片との連結部を、閉塞板の頂点近傍に設けた、との構成を加えたものである。
【００２０】
上記構成では、操作突片からの引っ張り力を略ホームベース状に形成された閉塞板の頂点近傍に与えることができるため、弱化部の破断を、頂点から傾斜辺へ、傾斜辺から側辺へとスムーズに進行させることが可能となる。
【発明の効果】
【００２１】
本発明によれば、詰め替え作業を簡便にし、詰め替え作業時に内容物をこぼし難くし、本容器内の内容物が残留している場合であっても詰め替え作業を可能にし、かつ詰め替え作業をスムーズに行うことができる。
また大きな破断力が不要となるため、子供や高齢者等の力の弱いものであって閉塞板の抜栓をスムーズに行うことができる。
【図面の簡単な説明】
【００２２】
【図１】本発明の実施形態における詰め替え容器を構成する注出口部材を側方から示す縦断面図である。
【図２】注出口部材を正面方向から示す半断面図である。
【図３】注出口部材の背面図である。
【図４】注出口部材の平面図である。
【図５】注出口部材の底面図である。
【図６】本発明の実施形態における詰め替え容器の正立状態を示す縦断面図である。
【図７】詰め替え容器を倒立状態にして本容器に組み合わせた状態を示す縦断面図である。
【図８】図７に示す状態から詰め替え容器と本容器とを容器軸方向に相対的に接近移動した状態を示す縦断面図である。
【図９】詰め替え容器と本容器とを容器軸方向に相対的に接近移動が完了した状態を示す縦断面図である。
【発明を実施するための形態】
【００２３】
以下、本発明の実施形態について図面を参照して説明する。
（詰め替え容器の構成）
図１に示すように、本実施形態の詰め替え容器１は、本容器Ａ（図７〜図９参照）に詰め替える図示しない内容物が収容された有底筒状の容器本体２と、容器本体２の口部２ａに装着される注出口部材９と、を備える。注出口部材９が形成する注出筒３は、本容器Ａにおける円筒状の注入口部Ａ１の内径よりも細身に形成され、注入口部Ａ１内に差し込み可能である。この注出筒３を注入口部Ａ１内に差し込んだ状態で、詰め替え容器１から本容器Ａへ内容物の詰め替えがなされる。
【００２４】
なお、容器本体２及び注出筒３は、それぞれの中心軸線が共通軸上に位置するように配置される。本実施形態では、前記共通軸を容器軸Ｏといい、この容器軸Ｏに沿う方向を容器軸Ｏ方向とする。また、容器軸Ｏ方向の注出筒３側を上側、容器本体２側を下側とし、容器軸Ｏに直交する方向を径方向、容器軸Ｏ回りに周回する方向を周方向とする。
【００２５】
また、容器軸Ｏ方向の注出筒３側を上側、容器本体２側を下側とした姿勢を、詰め替え容器１の正立姿勢とし（図６参照）、容器軸Ｏ方向の注出筒３側を下側、容器本体２側を上側とした姿勢を、詰め替え容器１の倒立姿勢とする（図７〜図９参照）。以下、詰め替え容器１を構成する注出口部材９について説明する。
【００２６】
注出口部材９は合成樹脂を射出成形することにより形成されており、容器軸Ｏ方向に沿って容器本体２の外方（上方）に向かって延びると共に、先端部（上端部）に注出口３ａが形成された注出筒３と、注出筒３の基端部（下端部）に一体に連設された装着筒１０と、注出口３ａを閉塞すると共に、注出口３ａの開口周縁部に破断容易な弱化部３０を介して連結される閉塞板４と、閉塞板４に一端部が連結されると共に、他端部が注出筒３の径方向外側に略Ｕ字状に配置される操作突片５と、を備える。
【００２７】
図４を併せて参照し、注出筒３は、略半月形状をなして容器軸Ｏ方向に沿って延びる。すなわち、注出筒３の周方向の一側部は、周方向に沿って湾曲する湾曲壁部４１とされ、注出筒３の周方向の他側部は、径方向に直交する平坦壁部４２とされる。湾曲壁部４１は、注出筒３の半周以上にわたって設けられる。
【００２８】
図１を参照し、湾曲壁部４１の上端部には、その周方向の少なくとも一部を注出口３ａよりも上方まで延びる延長突部４３が設けられている。平坦壁部４２の上端部４６には、操作突片５の下面の突片リブ５ａに向かって突出する支点突起５１が容器軸Ｏ方向に沿って起立設されている。この支点突起５１の先端部の断面形状は丸みを帯びたＲ形状である。湾曲壁部４１の下端部外周には、装着筒１０のフランジ部１３の上面１３ａに対して上方に変位した変位上面４４ａを形成するリブ４４が設けられる。図４に示すように、リブ４４は、周方向に略直交する板状をなし、径方向で平坦壁部４２と反対側となる位置に設けられると共に、この端部から周方向両側に９０度ずれた位置にも設けられ、計三つ形成される。
【００２９】
注出筒３ひいては注出口部材９は、注出筒３下方の装着筒１０によって、容器本体２の口部２ａに装着される。装着筒１０は、注出筒３の下端部から径方向外側へ延びる環状のフランジ部１３と、フランジ部１３の外周端縁から下方に延びて容器本体２の口部２ａに例えば螺着により嵌合する筒部１１と、を有する。
【００３０】
装着筒１０を口部２ａに取り付けたとき、フランジ部１３の下面には口部２ａの開口端縁が下方から突き当たり、容器本体２と注出口部材９との容器軸Ｏ方向の相対位置を規定する。フランジ部１３の下面には、容器本体２の口部２ａの開口端縁の内周に液密に接するシール筒１４が垂下される。なお、本実施形態では、装着筒１０を口部２ａに螺着により取り付けるが、これに限らず、例えばアンダーカット嵌合等により取り付けてもよい。
【００３１】
注出筒３の延長突部４３と支点突起５１を除いた上端面３Ａ、すなわち閉塞板４を含む注出筒３の上端面３Ａの断面形状は、上端面３Ａの周縁部から容器軸Ｏが通る中央部の近傍に向かって徐々に陥没する湾曲面で形成されている。本実施例では、閉塞板４を含む注出筒３の上端面３Ａの湾曲面を、成形時における離型が容易となる点を考慮した略シリンドリカル凹面（又は略円筒凹面ともいう。）としている。
【００３２】
閉塞板４の外縁部は、注出口３ａの内縁部に破断容易な肉薄状の弱化部３０を介して連結される。閉塞板４は、注出筒３の周壁よりも薄肉に形成され、注出筒３よりも容易に変形（例えば弾性変形）可能である。
【００３３】
図５に示すように閉塞板４の平面形状は、注出口３ａ側の開口縁部に接続される底辺４ａと、この底辺４ａの両端から底辺４ａに対して略垂直に延びる一対の側辺４ｂと、この一対の側辺４ｂから互いに接近する方向に斜めに延びる一対の傾斜辺４ｃとを有し、一対の傾斜辺４ｃが互いに交わる点を頂点４ｄとする略ホームベース状である。弱化部３０は、一対の側辺４ｂと一対の傾斜辺４ｃに形成されているが底辺４ａには形成されておらず、閉塞板４は注出筒３に直接連結されている。また側辺４ｂと傾斜辺４ｃを繋ぐ接続部分４ｅは、湾曲状の弱化部３０ａによって形成されている。なお、閉塞板４の底辺４ａと注出筒３とが直接連結する部分が切り残し部３１となる。
【００３４】
操作突片５は、閉塞板４の上面における平坦壁部４２と略直交する径方向で、平坦壁部４２とは反対側となる端部に一端部を接続する。より詳しくは、図１の縦断面図に示すように、操作突片５の一端部は閉塞板４のうち、延長突部４３に最も近づく側の位置、すなわち湾曲面（略シリンドリカル凹面）で形成された閉塞板４の上端部４Ａ側の位置に連結部６を介して接続されている。因みに、図４の平面図においては、連結部６は略ホームベース状から成る閉塞板４のうち、弱化部３０の内側で且つ頂点４ｄ近傍の位置に設けられる。
なお、操作突片５は、最上部５ｂよりも高く延長突部４３が起立することで、操作突片５の特に最上部５ｂに対する上方からの外力が加わることを規制する。
【００３５】
操作突片５からは、平坦壁部４２と略直交する径方向で容器軸Ｏを超えて平坦壁部４２側に延びつつ下方に向けて湾曲する突片本体７が延出する。突片本体７の下面には、略三日月状に湾曲形成して成る突片リブ５ａが一体に付設されている。突片本体７の先端部７ａは、その径方向厚さを増加させつつ平坦壁部４２の上端部４６の径方向外側に至る。突片本体７の先端部７ａの下方には、増大した径方向厚さを均一にして容器軸Ｏに沿って下方に延びる下方延出部２１ａが連設される。下方延出部２１ａは、その下端部から径方向外側に延びる底壁部２１ｂ、及び底壁部２１ｂの外側端部から容器軸Ｏに沿って上方に延びる外壁部２１ｃと共に、注出口３ａ側に向けて開放するフック部２１を形成する。
【００３６】
突片本体７の先端部７ａ及び下方延出部２１ａの径方向内側には、平坦壁部４２の外側面と略平行な内側面２２が連続して形成される。下方延出部２１ａの径方向外側には、内側面２２と略平行かつ内側面２２よりも容器軸Ｏ方向で短い外側面２３が形成される。外壁部２１ｃの径方向内側には、外側面２３と径方向で対向する外壁内側面２４が形成される。
【００３７】
フック部２１は、注入口部Ａ１に注出筒３の先端部を挿入した状態（換言すれば、注入口部Ａ１に注出筒３を対向させた状態、図７参照）で、注入口部Ａ１の開口端側に係止する。このとき、フック部２１は、外側面２３及び外壁内側面２４の間に、注入口部Ａ１の開口端側を締め代によって挟み込む。これにより、注出筒３の注入口部Ａ１からの離脱が抑えられる。
【００３８】
平坦壁部４２の外側面とフック部２１の内側面２２とが対向する部分には、両者を接続すると共に破断容易に形成された接続部３３が設けられている。
【００３９】
接続部３３は、輸送時や販売時において注出筒３に対するフック部２１の意図せぬ相対移動を規制し、使用時において注出筒３に対してフック部２１を相対移動させる際に破断される。
【００４０】
（詰め替え容器の使用）
次に、詰め替え容器１から本容器Ａに内容物を詰め替える際の手順について説明する。
まず、図７に示すように、未開封の詰め替え容器１を上下反転して倒立姿勢とし、この詰め替え容器１の注出筒３の先端部（図７では下端部）を、同図に示す正立姿勢の本容器Ａの注入口部Ａ１に上方から挿入する。このとき、注出筒３の延長突部４３がガイドとなり、注出筒３を注入口部Ａ１に挿入し易い。
【００４１】
注出筒３の先端部を注入口部Ａ１に挿入し、操作突片５のフック部２１を注入口部Ａ１の開口端側に係止させることにより、詰め替え容器１と本容器Ａとが組み合わされる。フック部２１は、注入口部Ａ１の開口端側を締め代をもって保持し、注出筒３の注入口部Ａ１からの離脱を抑える。注出筒３の湾曲壁部４１は、注入口部Ａ１の内周面に沿うように配置され、注入口部Ａ１に対する注出筒３の倒れを抑える。
【００４２】
上記した状態から、詰め替え容器１と本容器Ａとを容器軸Ｏ方向で相対的に接近移動させると、接続部３３が破断し、注出筒３の注入口部Ａ１内への挿入が許容される一方、フック部２１は注入口部Ａ１に係止したまま接近移動をしないことから、フック部２１ひいては操作突片５が注出筒３に対して注出筒３の基端側（図７では上端側）に相対的に引かれる。
【００４３】
前述の如く操作突片５が容器軸Ｏの上方向に引かれると、その連結部６が平坦壁部４２側に引かれると共に、操作突片５の下面（図８では上面）の突片リブ５ａが支点突起５１の先端に密着状態で係合する。さらに、操作突片５が容器軸Ｏの上方向に引かれると、支点突起５１の先端は支点として機能し始め、連結部６は容器軸Ｏの下方向に引かれる。つまり、連結部６には、図８中に示されるような容器軸Ｏの下方向と容器軸Ｏに対して直交するＸ方向に挟まれた斜め方向に引張応力が作用する。この斜め方向に引張応力が作用した連結部６は、閉塞板４の湾曲壁部４１側の上端部３Ａ（図８では下端部）を捲り上げることにより、閉塞板４は湾曲壁部４１側の上端部周辺の弱化部３０（図４では頂点４ｄ側の弱化部３０）が破断し始める（抜栓開始）。そして、図９に示されるように、操作突片５がより一層引かれると、支点突起５１の支点機能により連結部６が支点突起５１を径方向外側に乗り越え、さらに閉塞板４が捲り上がってゆく。
【００４４】
この際、突片リブ５ａと支点突起５１の先端との係合は、突片リブ５ａが支点突起５１の先端を摺動することになるが、支点突起５１先端の断面形状はＲ形状であり摩擦抵抗が小さいため、閉塞板４の捲り上げ、すなわち抜栓をよりスムーズに行うことができる。
なお、支点突起５１は、支点として機能するために平坦壁部４２の上端部４６であって操作突片５の突片リブ５ａに向かって起立設している。支点突起５１を正面視した形状は、図２に示すような矩形平板状のものだけではなく、円柱状や角柱状のものでも構わないが、その先端の断面形状は上記のようにＲ形状が好ましい。また、支点突起は１個だけではなく、複数設けても構わない。
【００４５】
そして、図９に示すように、装着筒１０のフランジ部１３の上面１３ａ及び各リブ４４の変位上面４４ａ（図９では何れも下面）が注入口部Ａ１の開口端縁に当接するまで、注出筒３を注入口部Ａ１に挿入しきった時点で、閉塞板４が注出口３ａの内縁部に平坦壁部４２側の切り残し部３１のみでつながった状態で、平坦壁部４２外側へ折り返すように捲り上げられる。これにより、注出口３ａが全開となり、詰め替え容器１内の内容物が注出口３ａから本容器Ａ内へ注出され、本容器Ａ内への内容物の詰め替えがなされる。このとき、フランジ部１３ひいては詰め替え容器１が、フック部２１及び三つのリブ４４により、注入口部Ａ１の開口端縁に周方向で略９０度の等間隔で支持され、倒立姿勢の詰め替え容器１を安定させる。
【００４６】
湾曲面（略シリンドリカル凹面）で形成された閉塞板４を図８に示す縦断面図で見た場合、閉塞板４における弱化部３０の破断は、頂点４ｄが設けられた閉塞板４の一方の上端部４Ａ（図８では下端部）から閉塞板４の底部４Ｂ（図８では頂部）に向かって行われ、さらに底辺４ａが設けられた閉塞板４の他方の上端部４Ｃ（図８では下端部）に向かって行われる。湾曲面から成る閉塞板４の上端部（下端部）４Ａと底部（頂部）４Ｂとは高さ方向に高低差ｈを有する。このため、特に抜栓開始時においては、内容物の注出をスムーズなものとすることができる。
【００４７】
また閉塞板４を図４に示す平面図で見た場合、閉塞板４における弱化部３０の破断は、頂点４ｄから一対の傾斜辺４ｃに進み、次に一対の傾斜辺４ｃから各側辺４ｂを介して切り残し部３１である底辺４ａの両端に達することになる。
ここで、傾斜辺４ｃに設けられた弱化部３０が延びる方向と側辺４ｂに設けられた弱化部３０が延びる方向とは同じではないが、側辺４ｂと傾斜辺４ｃとの接続部分４ｅを湾曲状の弱化部３０ａで連結したことにより、破断が進む方向が緩やかに切り替わるようになり、一度の作業でスムーズに破断させることが可能となる。
【００４８】
なお、本発明の技術範囲は、上記実施形態に限定されるものではなく、本発明の趣旨を逸脱しない範囲において、種々の変更を加えることが可能である。
例えば、上記実施例では、閉塞板４を含む注出筒３の上端面３Ａ断面の湾曲面を略シリンドリカル凹面状（又は略円筒凹面状）として説明したが、上端面３Ａ全体が注出筒３の内方に向かって徐々に陥没するクレーター状であってもよい。
また切り残し部３１があれば閉塞板４等の本容器内への脱落が確実に防止されるが、切り残し部３１をなくして閉塞板４の全周を破断するように構成してもよい。
【符号の説明】
【００４９】
１    ：  詰め替え容器
２    ：  容器本体
２ａ  ：  口部
３    ：  注出筒
３ａ  ：  注出口
３Ａ  ：  注出口の上端面
４    ：  閉塞板
４ａ  ：  底辺
４ｂ  ：  傾斜辺
４ｃ  ：  側辺
４ｄ  ：  頂点
４ｅ  ：  接続部分
４Ａ  ：  閉塞板の上端部（下端部）
４Ｂ  ：  閉塞板の底部（頂部）
５    ：  操作突片
５ａ  ：  突片リブ
６    ：  連結部
７    ：  突片本体
７ａ  ：  突片本体の先端部
９    ：  注出口部材
１０  ：  装着筒
１１  ：  筒部
１３  ：  フランジ部
１３ａ：  フランジ部の上面
１４  ：  シール筒
２１  ：  フック部
２１ａ：  下方延出部
２１ｂ：  底壁部
２１ｃ：  外壁部
２２  ：  内側面
２３  ：  外側面
２４  ：  外壁内側面
３０  ：  弱化部
３１  ：  切り残し部
３３  ：  接続部
４１  ：  湾曲壁部
４２  ：  平坦壁部
４３  ：  延長突部
４４  ：  リブ
４４ａ：  変位上面
４６  ：  上端部
５１  ：  支点突起
Ａ    ：  本容器
Ａ１  ：  注入口部
Ｏ    ：  容器軸
【図１】
0006340727.tif 000002
【図２】
0006340727.tif 000003
【図３】
0006340727.tif 000004
【図４】
0006340727.tif 000005
【図５】
0006340727.tif 000006
【図６】
0006340727.tif 000007
【図７】
0006340727.tif 000008
【図８】
0006340727.tif 000009
【図９】
0006340727.tif 000010